(57)【要約】【課題】装置のコストアップを押さえながらＯＳＤ画像の表示をスムーズにする装置を提供する。  【解決手段】。制御部２は、予測情報により確定優先順位を決定し、メニュー画像から設定入力画像までのルートを決定する。ルートの設定をしたら、この時点で出力しているＯＳＤ画像につながるルート上のＯＳＤ画像が、次に選択されるＯＳＤ画像であると予測し、このＯＳＤ画像をＨＤＤ７から読み出して一時記憶部９に記憶する。次にユーザの選択入力があるかどうか判別する。ユーザによる選択入力があると、この選択入力が終了であるかないかを判別する。終了であれば処理を終了し、終了でなければ、この選択入力により指示されるＯＳＤ画像を判断し、これが一時記憶部９に記憶しているＯＳＤ画像であれば一時記憶部９に記憶しているＯＳＤ画像を出力する。【選択図】  図１
2006013941.tif 000002
【特許請求の範囲】
【請求項１】
ハードディスクに記憶している複数のＯＳＤ画像について、いずれかのＯＳＤ画像の選択を受け付けるＯＳＤ画像選択受付手段と、
前記ハードディスクに記憶しているＯＳＤ画像を読み出すＯＳＤ画像読出手段と、
前記ＯＳＤ画像選択受付手段がいずれかのＯＳＤ画像の選択を受け付けたとき、前記ＯＳＤ画像読出手段により前記ハードディスクから読み出した、選択されたＯＳＤ画像を出力するＯＳＤ画像出力手段と、を備えたＯＳＤ装置において、
前記ＯＳＤ画像毎に、このＯＳＤ画像が選択された場合に、その次に選択されるＯＳＤ画像を予測する予測情報を記憶する予測情報記憶手段と、
前記ＯＳＤ画像選択受付手段が、いずれかのＯＳＤ画像の選択を受け付けたとき、前記予測情報を用いて今回選択されたＯＳＤ画像の次に選択されるＯＳＤ画像を予測する予測手段と、
前記ＯＳＤ画像読出手段により前記ハードディスクから前記予測手段が予測したＯＳＤ画像を読み出し、メモリに記憶する予測画像読出手段と、を備え、
前記出力手段は、前記ＯＳＤ画像選択受付手段において選択を受け付けたＯＳＤ画像が前記メモリに記憶しているＯＳＤ画像であれば、このメモリに記憶しているＯＳＤ画像を出力し、
前記予測情報は、装置本体で使用可能な機能毎に、優先順位を対応付けた情報であり、また、前記機能毎に使用回数をカウントし、各機能のカウント値に基づいて各機能に対応づけられている前記優先順位を更新する予測情報更新手段と、
各機能に対応づけられている前記優先順位について、設定入力を受け付ける優先順位設定手段と、を備えたＯＳＤ装置。
【請求項２】
ハードディスクに記憶している複数のＯＳＤ画像について、いずれかのＯＳＤ画像の選択を受け付けるＯＳＤ画像選択受付手段と、
前記ハードディスクに記憶しているＯＳＤ画像を読み出すＯＳＤ画像読出手段と、
前記ＯＳＤ画像選択受付手段がいずれかのＯＳＤ画像の選択を受け付けたとき、前記ＯＳＤ画像読出手段により前記ハードディスクから読み出した、選択されたＯＳＤ画像を出力するＯＳＤ画像出力手段と、を備えたＯＳＤ装置において、
前記ＯＳＤ画像毎に、このＯＳＤ画像が選択された場合に、その次に選択されるＯＳＤ画像を予測する予測情報を記憶する予測情報記憶手段と、
前記ＯＳＤ画像選択受付手段が、いずれかのＯＳＤ画像の選択を受け付けたとき、前記予測情報を用いて今回選択されたＯＳＤ画像の次に選択されるＯＳＤ画像を予測する予測手段と、
前記ＯＳＤ画像読出手段により前記ハードディスクから前記予測手段が予測したＯＳＤ画像を読み出し、メモリに記憶する予測画像読出手段と、を備え、
前記出力手段は、前記ＯＳＤ画像選択受付手段において選択を受け付けたＯＳＤ画像が前記メモリに記憶しているＯＳＤ画像であれば、このメモリに記憶しているＯＳＤ画像を出力し、
前記予測情報は、装置本体で使用可能な機能毎に、優先順位を対応付けた情報であるＯＳＤ装置。
【請求項３】
前記機能毎に使用回数をカウントし、各機能のカウント値に基づいて各機能に対応づけられている前記優先順位を更新する予測情報更新手段を備えた請求項２に記載のＯＳＤ装置。
【請求項４】
各機能に対応づけられている前記優先順位について、設定入力を受け付ける優先順位設定手段と、を備えた請求項２または３に記載のＯＳＤ装置。
【発明の詳細な説明】
【技術分野】
【０００１】
この発明は、装置本体で使用可能な機能について、ＯＳＤ画像で操作案内行うＯＳＤ装置に関する。
【背景技術】
【０００２】
従来、装置本体で使用可能な機能について、その機能にかかる設定入力をユーザに容易に行わせるために、複数のＯＳＤ画像を用いて操作案内を行うＯＳＤ装置が実用化されている。一般的なＯＳＤ装置は、初期画像であるメニュー画像を出力し、ユーザに簡単な選択入力を何度か行わせて、最終的にユーザが使用する機能にかかる設定入力が行われるように案内する。具体的にはユーザが選択入力する毎にその選択に応じたＯＳＤ画像を出力し、最終的にユーザが使用する機能にかかる設定入力が行われるように案内する。このようなＯＳＤ装置では、選択されたときに選択されたＯＳＤ画像をハードディスクから読み出すので、ＯＳＤ画像が選択されてから表示されるまでの時間が長く、操作性が良くないという問題があった。
【０００３】
また、データ放送により配信されているコンテンツの表示速度の向上を図った装置が特許文献１で提案されている。この装置では、配信されてきたコンテンツに含まれる画像を展開した展開画像をメモリに保持しておき、同じ画像のコンテンツが配信されてきた場合に、そのコンテンツの展開処理を行わず、メモリに記憶している該当する展開画像を出力することで、配信されてきたコンテンツの提示速度の向上を図っている。また、特許文献１には、メモリが満杯になって新しいコンテンツの展開画像をメモリに記憶できない状態にならないように、メモリに記憶している各展開画像にそれぞれ優先度を付し、このメモリから優先度の低い展開画像を消去することで配信されてきた新しいコンテンツの展開画像をメモリに記憶する構成が記載されている。
【特許文献１】特開２００１−１８６４２８号公報
【発明の開示】
【発明が解決しようとする課題】
【０００４】
しかしながら、ＯＳＤ装置装置を適用する機器の多機能化に伴なって、ＯＳＤ装置に記憶させるＯＳＤ画像が増加しており、ＯＳＤ画像を不揮発性のメモリに記憶する構成では、記憶容量の大きなものが必要になる。記憶容量が大きい不揮発性のメモリは高価であることから、ＯＳＤ画像をハードディスクに記憶させる構成をとっている。このようなＯＳＤ装置では、選択されたときに選択されたＯＳＤ画像をハードディスクから読み出すので、ＯＳＤ画像が選択されてから表示されるまでの時間が長く、操作性が良くないという問題があった。
【０００５】
この発明の目的は、装置のコストアップを抑えながらＯＳＤ画像の表示をスムーズにし、操作性を向上させたＯＳＤ装置を提供する。
【課題を解決するための手段】
【０００６】
この発明のＯＳＤ装置は、上記課題を解決するために以下の構成を備えている。
（１）ハードディスクに記憶している複数のＯＳＤ画像について、いずれかのＯＳＤ画像の選択を受け付けるＯＳＤ画像選択受付手段と、
前記ハードディスクに記憶しているＯＳＤ画像を読み出すＯＳＤ画像読出手段と、
前記ＯＳＤ画像選択受付手段がいずれかのＯＳＤ画像の選択を受け付けたとき、前記ＯＳＤ画像読出手段により前記ハードディスクから読み出した、選択されたＯＳＤ画像を出力するＯＳＤ画像出力手段と、を備えたＯＳＤ出力装置において、
前記ＯＳＤ画像毎に、このＯＳＤ画像が選択された場合に、その次に選択されるＯＳＤ画像を予測する予測情報を記憶する予測情報記憶手段と、
前記ＯＳＤ画像選択受付手段が、いずれかのＯＳＤ画像の選択を受け付けたとき、前記予測情報を用いて今回選択されたＯＳＤ画像の次に選択されるＯＳＤ画像を予測する予測手段と、
前記ＯＳＤ画像読出手段により前記ハードディスクから前記予測手段が予測したＯＳＤ画像を読み出し、メモリに記憶する予測画像読出手段と、を備え、
前記出力手段は、前記ＯＳＤ画像選択受付手段において選択を受け付けたＯＳＤ画像が前記メモリに記憶しているＯＳＤ画像であれば、このメモリに記憶しているＯＳＤ画像を出力し、
前記予測情報は、装置本体で使用可能な機能毎に、優先順位を対応付けた情報であることを特徴とする。
【０００７】
この構成では、複数のＯＳＤ画像がハードディスクに記憶されている。ＯＳＤ画像選択受付手段がいずれかのＯＳＤ画像の選択を受け付けると、ＯＳＤ画像出力手段がここで受け付けたＯＳＤ画像を出力する。また、予測手段が、今回選択されたＯＳＤ画像の次に選択されるＯＳＤ画像を予測する。この予測は、装置本体で使用可能な機能毎に、使用される可能性の高い優先順位を対応付けた予測情報を用いて行う。予測情報記憶手段がこの予測情報を記憶している。予測画像読取手段が予測されたＯＳＤ画像をハードディスクから読み出し、メモリに記憶する。このように、装置本体で使用可能な各機能に対して、使用される可能性に基づく優先順位を対応づけた予測情報を用いて次に選択されるＯＳＤ画像を予測しこのＯＳＤ画像をハードディスクから読み出してメモリに記憶するので、ユーザが次に選択するＯＳＤ画像をハードディスクからメモリに読み出している確率が高く、ユーザが次のＯＳＤ画像を選択したときにはメモリからＯＳＤ画像を出力することができる。これによりＯＳＤ画像の表示速度の向上が図れ、ユーザの操作性を向上できる。また、メモリは１画面分のＯＳＤ画像を記憶することができれば良いので装置本体のコストアップも抑えられる。
（２）前記機能毎に使用回数をカウントし、各機能のカウント値に基づいて各機能に対応づけられている前記優先順位を更新する予約情報更新手段を備えることを特徴とする。
【０００８】
この構成では、各機能の使用回数をカウントしたカウント値に基づいて各機能の優先順位を更新するので、各機能の使用頻度に基づいてユーザが次に選択するＯＳＤ画像を予測することができる。したがって、ユーザが次に選択するＯＳＤ画像をハードディスクからメモリに読み出す確率を高めることができる。
（３）設定手段は、各機能に対応づけられている前記優先順位について、設定入力をうけつけ、この設定入力に基づいて設定する設定手段を備えることを特徴とする。
【０００９】
この構成では、各機能の優先順位がユーザにより設定されるので、ユーザの使い方に応じた予測情報により、ユーザが次に選択するＯＳＤ画像を予測することができる。したがって、ユーザが次に選択するＯＳＤ画像をハードディスクからメモリに読み出している確率を高めることができる。
【発明の効果】
【００１０】
この発明によれば、使用される可能性に基づく優先順位を対応づけた予測情報を用いて次に選択されるＯＳＤ画像を予測しこのＯＳＤ画像をハードディスクから読み出してメモリに記憶するので、ユーザが次に選択するＯＳＤ画像をハードディスクからメモリに読み出している確率が高く、ユーザが次のＯＳＤ画像を選択したときにはメモリからＯＳＤ画像を出力することができる。これによりＯＳＤ画像の表示速度の向上が図れ、ユーザの操作性を向上できる。また、メモリは１画面分のＯＳＤ画像を記憶することができれば良いので装置本体のコストアップも抑えられる。
【発明を実施するための最良の形態】
【００１１】
以下、この発明の実施形態であるＯＳＤ装置を適用したセットトップボックス（以下、ＳＴＢと言う。）について説明する。図１は、この実施形態のＳＴＢの主要部の構成を示すブロック図である。この実施形態のＳＴＢ１は、本体の動作を制御する制御部２と、選択されているチャンネルで放送されている番組の映像信号および音声信号を抽出する受信部３と、選択されているチャンネルで放送されている番組の映像に必要に応じてＯＳＤ画像を重ね合わせるＯＳＤ画像合成部４と、放送されている番組または、放送されている番組にＯＳＤ画像を重ね合わせた合成画像の映像信号と、放送されている番組の音声信号とを出力する出力部５と、図示しないリモコン装置から無線で送られてきた本体に対する制御信号を受信するリモコン受信部６と、複数のＯＳＤ画像を記憶するハードディスクを有しこのハードディスクから任意のＯＳＤ画像を読み出すハードディスクドライブ７（以下ＨＤＤ７という。）と、を備えている。
【００１２】
制御部２は、装置本体で使用可能な機能毎に、設定優先順位、使用回数および確定優先順位を対応付けた情報である予測情報を記憶しておく予測情報記憶部８と制御部がＨＤＤ７から読み出したＯＳＤ画像を一時的に保持する一時記憶部９と、を備えている。予測情報記憶部８と一時記憶部９は一つのメモリで構成しても良いし、また別々のメモリで構成しても良い。予測情報は、電源のＯＦＦ時にも消えないように不揮発性のメモリに記憶するのが好ましい。予測情報記憶部８と一時記憶部９は制御部２に設けられている動作時に発生したデータを記憶するＲＡＭを使用しても良い。この場合電源が消えると予測情報が消えてしまうのでＨＤＤが有するハードディスクに予測情報を記憶させればよい。
【００１３】
図２は、予測情報記憶部８に記憶されている予測情報を示す図である。予測情報は、次に選択されるであろうＯＳＤ画像を予測するときに用いる情報である。予測情報は、本体で使用可能な機能について、その機能に設定優先順位、使用回数および確定優先順位を対応づけた構成である。設定優先順位についてはユーザが設定できる。また使用回数はその機能が使用された回数をカウントしたカウント値である。確定優先順位はその機能が使用される可能性の高い順番を示すデータである。制御部２は、本体に対するユーザの入力操作に応じて確定優先順位を更新する。制御部２はこの予測情報を用いて次に選択されるＯＳＤ画像を予測する。次に選択されるＯＳＤ画像を予測する手法としてはユーザが設定した優先順位を確定優先順位にして次に選ばれるＯＳＤ画像を予測する手法がある。また、優先順位を用いないで使用回数で確定優先順位を決定して次に選ばれるＯＳＤ画像を予測する手法がある。更に、ユーザが設定した優先順位と、使用回数の両方を用いて確定優先順位を決定して次に選ばれるＯＳＤ画像を予測する手法がある。予測、手法についての詳細な説明は、後述する。
【００１４】
ハードディスク７に記憶されている複数のＯＳＤ画像は、初期画面であるメニュー画像から、装置本体で使用する機能に対する設定入力を受け付けるときに表示する画像（以下、設定入力画像と言う。）までユーザを案内するために、図３に示すようなツリー構造になっている。図３では、１つの矩形が１つのＯＳＤ画像を示している。例えば、ＯＳＤ画像Ｂ〜Ｅが予約録画にかかる設定入力画像である場合について説明する。ここでは、ＯＳＤ画像Ｂが録画開始時間、録画終了時間、録画するチャンネルを入力して録画予約を行う設定入力画像、ＯＳＤ画像ＣがＧコードを入力して録画予約を行う設定入力画像、ＯＳＤ画像ＤがＥＰＧを使用し、番組指定により録画予約を行う設定入力画像、ＯＳＤ画像Ｅが
ＥＰＧを使用し、キーワード検索により録画予約を行う設定入力画像であるものとする。
【００１５】
この場合、ＯＳＤ画像Ｊは、録画開始時間、録画終了時間、録画するチャンネルを入力して録画予約を行うか、Ｇコードで録画予約を行うかの選択を促す選択画像（ＯＳＤ画像ＢまたはＯＳＤ画像Ｃの選択を促す選択画像）であり、ＯＳＤ画像ＫはＥＰＧを使用し、番組指定により録画予約を行うか、ＥＰＧを使用し、キーワード検索により録画予約を行うかの選択を促す選択画像（ＯＳＤ画像ＤまたはＯＳＤ画像Ｅの選択を促す選択画像）
である。また、ＯＳＤ画像Ｏは、録画予約においてＥＰＧを使用するかどうかの選択を促す選択画像である。
【００１６】
なお、ＯＳＤ画像Ａが初期画面であるメニュー画像である。
【００１７】
このように、複数のＯＳＤ画像は、ユーザの目的の機能にかかる設定入力を行う設定入力画像まで、ユーザを段階的に案内するツリー構造となっている。ユーザは、そのときに表示されているＯＳＤ画像に応じて簡単な選択入力を行うだけで、メニュー画像から目的の機能にかかる設定入力を行う設定入力画像に達することができる。
【００１８】
次に、制御部２において、ユーザが次に選択するＯＳＤ画像を予測する手法について説明する。上述したように、この予測には図２に示した予測情報が用いられる。ここでは、録画開始時間、録画終了時間、録画するチャンネルを入力して録画予約を行う通常録画予約機能の確定優先順位が１位であり、Ｇコードによる録画予約機能の確定優先順位が２位であり、ＥＰＧを使用し、番組指定による録画予約機能の確定優先順位が３位であり、ＥＰＧを使用し、キーワード検索による録画予約機能の確定優先順位が４位である。この確定優先順位は、上述したように、ユーザが設定した設定優先順位としてもいいし、設定優先順位を用いないで使用回数の多い順に決定してもよいし、更には、ユーザが設定した設定優先順位と使用回数の両方を用いて決定してもよい。このとき、確定優先順位は、使用回数を設定優先順位で割って求める。
【００１９】
制御部２は、メニュー画像にかかるＯＳＤ画像Ａを出力したとき、最も確定優先順位の高い（確定優先順位が１位である）機能を、ユーザがこれから使用する機能であると予測し、ここで予測した機能にかかる設定入力画像に達するまでの経路を求める。ここでは、ＯＳＤ画像Ａ→ＯＳＤ画像Ｏ→ＯＳＤ画像Ｊ→ＯＳＤ画像Ｂとする経路を求める。そして、この経路上に位置し、この時点で出力しているＯＳＤ画像（ここでは、ＯＳＤ画像Ａ）につながるＯＳＤ画像（ここではＯＳＤ画像Ｏ）が、次に選択されるＯＳＤ画像であると予測し、このＯＳＤ画像をＨＤＤ７から読み出して一時記憶部９に記憶する。
【００２０】
制御部２は、ユーザによる選択入力があると、この選択入力により指示されるＯＳＤ画像を判断し、これが一時記憶部９に記憶しているＯＳＤ画像であれば一時記憶部９に記憶しているＯＳＤ画像を出力する。したがって、ユーザが次に選択するであろうと予測し、一時記憶部９に先読みしていたＯＳＤ画像がユーザに選択された場合には、この選択されたＯＳＤ画像の出力に要する時間の短縮が図れる。同様に、ＯＳＤ画像Ｏを出力しているときには、ＯＳＤ画像ＪをＨＤＤ７から先読みしてメモリに記憶し、ＯＳＤ画像Ｊを出力しているときには、ＯＳＤ画像ＢをＨＤＤ７から先読みして一時記憶部９に記憶する。
【００２１】
また、ＯＳＤ画像Ｂ等の設定入力画像を出力しているときには、メニュー画像であるＯＳＤ画像ＡをＨＤＤ７から先読みして一時記憶部９に記憶する。設定入力画像を出力しているときにはメニュー画像であるＯＳＤ画像Ａを一時記憶部９に記憶するとした理由を以下に示す。多くのユーザは、設定入力画像を表示させて、その機能に対する設定入力を完了すると、別の機能について設定入力を行うか、又は設定入力にかかる操作を終了する。メニュー画像は上述したように初期画面である。そして、ユーザが別の機能を使用する場合、一旦初期画面に戻ると考えるからである。設定入力画像で設定入力にかかる操作を終了するなら次のＯＳＤ画像の出力はないのでメモリに何が入っていてもよく問題はない。
【００２２】
なお、設定入力画像を出力している場合、１つ前の画像をメモリに記憶させるようにしてもよい。
【００２３】
また、制御部２はユーザにより選択されたＯＳＤ画像が一時記憶部９に先読みしているＯＳＤ画像でなければ、例えばＯＳＤ画像Ｏを出力しているときに一時記憶部９に記憶している先読みしたＯＳＤ画像Ｊでなく、ＯＳＤ画像Ｋが選択された場合、この選択されたＯＳＤ画像ＫをＨＤＤ７から読み出して出力するとともに、先の予測が外れたことから、再度ユーザが使用する機能を予測する。この予測では、今回出力したＯＳＤ画像につながっている機能の中で最も優先度の高いものを、ユーザが使用する機能であるとする。例えば、ＯＳＤ画像Ｋを出力した場合、次に選択される可能性のある優先度３のＯＳＤ画像Ｄと優先度４のＯＳＤ画像Ｅとから優先度の高いＯＳＤ画像Ｄが選択されると予測し、ＨＤＤ７からＯＳＤ画像Ｄを先読みし、一時記憶部９に記憶する。
【００２４】
このように、制御部２は、一時記憶部９に記憶しているＯＳＤ画像でないＯＳＤ画像がユーザにより選択され予測が外れた場合、ユーザが使用する機能の再予測に基づいて次の画像を決める。したがって一度予測が外れても、その後全て適正な予想が全く出来なくなることはない。
【００２５】
次に、この実施形態のＯＳＤ装置の動作について説明する。図４は、この実施形態のＯＳＤ装置の動作を示すフローチャートである。ユーザがメニュー画像表示のボタンを押すと、ＳＴＢ１はメニュー画像を出力する（Ｓ１）。制御部２は、予測情報により確定優先順位を決定し、メニュー画像から設定入力画像までのルートを決定する（Ｓ２）。確定優先順位は、ユーザが設定した設定優先順位としてもいいし、設定優先順位を用いないで使用回数の多い順に決定してもよいし、更には、ユーザが設定した設定優先順位と使用回数の両方を用いて決定してもよい。ここでは、確定優先順位がユーザが設定した設定優先順位と使用回数の両方を用いて決定するパターンで動くとする。ルートの設定をしたら、この時点で出力しているＯＳＤ画像につながるルート上のＯＳＤ画像が、次に選択されるＯＳＤ画像であると予測し、このＯＳＤ画像をＨＤＤ７から読み出して一時記憶部９に記憶する（Ｓ３）。次にユーザの選択入力があるかどうかを判別する（Ｓ４）。ユーザによる選択入力があると、この選択入力が終了であるかないかを判別する（Ｓ５）。終了であれば処理を終了し、終了でなければ、この選択入力により指示されるＯＳＤ画像を判断し（Ｓ６）、これが一時記憶部９に記憶しているＯＳＤ画像であれば一時記憶部９に記憶しているＯＳＤ画像を出力する（Ｓ７）。したがって、ユーザが次に選択するであろうと予測し、一時記憶部９に先読みしていたＯＳＤ画像がユーザに選択された場合には、この選択されたＯＳＤ画像の出力に要する時間の短縮が図れる。また、Ｓ５でユーザが終了を選択した場合、ＯＳＤ装置の使用を終了するとみなし、処理を終了する。また、Ｓ６でユーザにより選択されたＯＳＤ画像が一時記憶部９に先読みしているＯＳＤ画像でなければ、この選択されたＯＳＤ画像をＨＤＤ７から読み出して（Ｓ８）出力するとともに、先の予測が外れたことから、再度ユーザが使用する機能へのルートを再予測する（Ｓ９）。この再予測では、今回出力したＯＳＤ画像につながっている機能の中で、最も優先度の高いものを、ユーザが使用する機能であるとする。Ｓ３からＳ１０までの処理を設定入力画像を出力するまで行う。Ｓ１０で、設定入力画像を出力しているときには、メニュー画像であるＯＳＤ画像ＡをＨＤＤ７から先読みして一時記憶部９に記憶する（Ｓ１１）。ここで設定入力画像に対する設定入力、終了または、まだ設定したい機能などがありメニュー画像などの他のＯＳＤ画像に戻る、の３つのいづれかの入力をまっている（Ｓ１２，Ｓ１３，Ｓ１４）。Ｓ１３で終了が選択された場合、ＯＳＤ装置１の使用を終了するとみなし、処理を終了する。Ｓ１４でメニュー画像が選択された場合、一時記憶部９にメニュー画像を記憶しているので、いいかえればユーザが次に選択するであろうと予測し、一時記憶部９に先読みしていたＯＳＤ画像がユーザに選択されたので、この選択されたＯＳＤ画像の出力に要する時間の短縮が図れる。
【００２６】
Ｓ１２で設定入力が行われた場合、その設定入力をによる設定処理を受け付け（Ｓ１５）、その機能について予測情報における使用回数を１カウントアップする（Ｓ１６）。この場合、使用回数を使っているので確定優先順位が変化する。次に終了するか、ユーザがまだ設定したい機能などがありメニュー画像などの他のＯＳＤ画像に戻るかいずれかの入力を待っている（Ｓ１７、Ｓ１８）。Ｓ１７で終了が選択されると、処理を終了し、ＯＳＤ画像の出力を終える。Ｓ１８でユーザがまだ設定したい機能などがありメニュー画像などの他のＯＳＤ画像に戻る場合、Ｓ６からの処理を再度繰り返す。Ｓ１８でメニュー画像が選択された場合、一時記憶部９にメニュー画像を記憶しているので、ユーザが次に選択するであろうと予測し、一時記憶部９に先読みしていたＯＳＤ画像がユーザに選択されることになるので、この選択されたＯＳＤ画像の出力に要する時間の短縮が図れる。
【００２７】
なお、ここでは、確定優先順位がユーザが設定した設定優先順位と使用回数の両方を用いて決定するとしたが、ユーザが設定した設定優先順位を確定優先順位としてもよいし、、設定優先順位を用いないで使用回数の多い順に確定優先順位を決定してもよい。設定優先順位とカウント値に基づいて各機能の確定優先順位を更新するのでユーザが次に選択するＯＳＤ画像をユーザの使い方に基づいて予測することができる。したがって、ユーザが次に選択するＯＳＤ画像をハードディスクからメモリに読み出す確率を高めることができる。
【図面の簡単な説明】
【００２８】
【図１】この実施形態のＳＴＢの主要部の構成を示すブロック図である。
【図２】予測情報記憶部に記憶されている予測情報を示す図である。
【図３】ハードディスクに記憶している複数のＯＳＤ画像の構造を示す図である。
【図４】この実施形態のＯＳＤ装置の動作を示すフローチャートである。
【符号の説明】
【００２９】
１−ＳＴＢ
２−制御部
３−受信部
４−ＯＳＤ画像合成部
５−出力部
６−リモコン受信部
７−ＨＤＤ
８−予測情報記憶部
９−一時記憶部
【図１】
2006013941.tif 000003
【図２】
2006013941.tif 000004
【図３】
2006013941.tif 000005
【図４】
2006013941.tif 000006